(57)【要約】      （修正有）【課題】スーパーなどで買い物をして商品を入れるためのポリ袋を整理、収納し、再利用をするための取り出し口つきクリップを提供する。【解決手段】クリップの支点から作用する先端部分までの長さがポリ袋４の横幅を超え、上部１と一部側面に取り出し口３を付けクリップを構成する。クリップ下部２は上部に対して細く棒状で、下部先端部は直角に上部に向かって折れ曲り、袋が先端から滑り落ちるのを防ぐ役目を果たしている。クリップを閉じた時には上部と接しいる。平らにして積み重なった複数枚数のポリ袋にたいして、ポリ袋の中心付近を横方向から一番下のポリ袋をすくうように差し込み、閉じ、２つ折りの釣り下げ状態で収納する。クリップの上部全面と一部側面に取り出し口がついており、側面中央でポリ袋を手でつかみ、そのまま上に引き出して再利用することが可能である。【選択図】図１
0003151555.tif 000002
【実用新案登録請求の範囲】
【請求項１】
クリップの上面と一部側面に取り出し口があること。
【請求項２】
クリップ下部が細い棒状であること。
【考案の詳細な説明】
【技術分野】
【０００１】本考案は、家に持ち帰った使用後のスーパーのポリ袋等を手軽に収納し、かつ再利用し易いように取り出し口のついたクリップである。複数枚のポリ袋を収納するために下部は細い棒状である。またクリップの支点より先端部までの長さが異なるクリップを用意することにより袋のサイズを分類して一つの動作で収納することが可能である。２つ折りの状態で１枚ずつ目的に応じた袋の大きさを取り出し利用することが可能である。
【背景技術】
【０００２】従来は使用後のポリ袋をまとめて収納する物は多数あったが、家庭内で手軽に収納でき、再利用をしやすく、収納場所も比較的に低容積で場所を選ばない全ての条件を満たすものはなかった。【０００３】
【特許文献】特許公開  ２００６−２９８４１６  特許公開  ２００５−１９９０２３  特許公開  ２００３−１３７２３１  特許公開  ２００２−３４７８６８  特許公開  ２０００−２８７８２１  特許公開  ２０００−１５３８８８  特許公開  平７−２５１８８０  特許公開  平６−２２７５４５  特許公開  平５−８４６２７  登録実用新案第３１３９７７０  登録実用新案第３１３３１４０  登録実用新案第３１２０９６５  登録実用新案第３１１２９３１  登録実用新案第３１０１８８７  登録実用新案第３０９７１１４  登録実用新案第３０９３７３８  登録実用新案第３０８０４２１  登録実用新案第３０６８８０５  登録実用新案第３０６８５８５  登録実用新案第３０６７２６２  登録実用新案第３０４６０２０  登録実用新案第３０２９６６７
【考案の開示】
【考案が解決しようとする課題】
【０００４】買い物に使用したポリ袋は家庭内で再利用するために保管する人が多く、これまで多くの収納のための袋、器具、箱などが考案されてきた。家庭内においては収納作業が簡単であること、収納中は場所をとらない、収納物を置く場所を選ばない、再利用がし易い点が課題とされる。再利用については袋が取り出し易い、欲しい大きさの袋であることなどがさらに課題とされる。従来のものはこれら全てを満たすものはなく、本考案は全ての課題を解消するためになされたものである。これまで考案されたものの多くはポリ袋を上から入れて下から取り出すもの、下から順に積み上げ上から取り出すものや単なる箱などがあった。収納する際に丸めるものは再利用する際に袋の大きさが不明で、しわがあり、物が入れにくいことがあった。逆に再利用する際に使い易いものはあらかじめ収納時に畳んでおく必要があった。箱に関しては使い易いが容積が大きくなりがちで場所をとるために家庭には不向きなことが多かった。
【課題を解決するための手段】
【０００５】図２のように取り出し口のついたバネクリップの支点から先端部分までが長いクリップを考案した。クリップの上部１の全面と側面の一部に取り出し口３がついている。クリップ下部２は細めの棒状で先端部分は上部に向かって直角に折れ曲がっている。複数枚数のポリ袋はクリップ下部に二つ折りの状態で支持されている。複数枚のポリ袋をクリップ本体で直接固定するのではなく、上部と下部の空間内に収納される。クリップ下部を細い棒状にすることで取り出しの為の適度な空間が与えられなおかつ袋の収納量を増している。クリップ下部の棒状の先端を直角に曲げることにより袋を挟む際の横方向への滑り落ちを防止している。また、クリップ上部と接することによりポリ袋が直接クリップに固定されないためのクリップ内側の空間維持を行っている。
【考案の効果】
【０００６】図５のように平らにした複数のポリ袋の中央を横からクリップで挟むだけの簡単操作である。クリップを持ちさえすれば収納したポリ袋を二つ折りの状態で移動可能で保管場所は問わない。保管は単純にはそのまま机においておく、クリップ部分を中心にポリ袋を軽く巻いて筒状にしてどこかのすき間に入れておくことが考えられる。また、クリップにヒモをつけてつり下げる、磁石で貼り付ける、クリップにフックをつけシンクの扉などに引っ掛けるなど使用者の用途にあった方法で保管が可能である。使用済ポリ袋が多く発生するのは台所であるが、再利用は台所、風呂場、トイレ、オムツを捨てる際など必ずしも台所とは限らず、ある程度まとめたクリップを使用場所に移動させその場で保管再利用すことができる。また袋が見えているのでサイズの判別も容易で、あらかじめ大きさ別に袋をはさみ保管しておけば使用の際に欲しいサイズの物を選択して使用することができる。再利用する場合は収納された一番上のポリ袋を側面取り出し口３よりつかみそのまま上部取り出し口より引き出せば二つ折りの状態で手にとれる。二つ折りの状態なのでしわを伸ばしたりする手間も無くすぐに使用可能である。
【実施例１】
【０００７】使用後のポリ袋は適度に平らにひろげておく。複数枚ある場合は平らにしたまま縦横の方向を簡単にそろえ上に積み重ねておく。本考案のクリップを開き、クリップ下部をまとめた袋の縦方向の中央を横からすくい閉じる。閉じた直後は図５の状態であるが、取り出す際には図６のように上からクリップ側面の中央より一番上の袋をつかみ図７のように上面より取り出す。
【図面の簡単な説明】
【０００８】
【図１】  本考案のポリ袋を収納中の立面図である。
【図２】  本考案の立面図である。
【図３】  本考案の側面の平面図である。
【図４】  本考案のクリップを開いた状態の側面の平面図である。
【図５】  本考案のポリ袋をはさんだ直後の立面図である。
【図６】  本考案の使用時におけるポリ袋をつかむ操作を示す立面図である。
【図７】  本考案の取り出し操作を示す立面図である。
【符号の説明】
【０００９】１上部
２下部
３側面取り出し口
４ポリ袋
【図１】
0003151555.tif 000003
【図２】
0003151555.tif 000004
【図３】
0003151555.tif 000005
【図４】
0003151555.tif 000006
【図５】
0003151555.tif 000007
【図６】
0003151555.tif 000008
【図７】
0003151555.tif 000009
【手続補正書】
【提出日】平成20年8月24日(2008.8.24)
【手続補正１】
【補正対象書類名】実用新案登録請求の範囲
【補正対象項目名】全文
【補正方法】変更
【補正の内容】
【実用新案登録請求の範囲】
【請求項１】
はさんだ収納対象物を取り出すための取り出し口が上面と一部側面に組み合わされたクリップ。
【請求項２】
下部が収納対象物の横幅を超える長い棒状構造で上部と空間を持つように細い棒状のクリップ。ポリ袋などの収納物が直接クリップで押さえ付けてとじられるのではなく、対象物はクリップの上部と下部で構成された空間内に下部の棒に２つ折りで保持される構造のクリップ。
【手続補正書】
【提出日】平成20年11月30日(2008.11.30)
【手続補正１】
【補正対象書類名】実用新案登録請求の範囲
【補正対象項目名】全文
【補正方法】変更
【補正の内容】
【実用新案登録請求の範囲】
【請求項１】
はさんだ収納対象物を取り出すための取り出し口が上面と一部側面に組み合わされたクリップ。
【手続補正書】
【提出日】平成21年4月2日(2009.4.2)
【手続補正１】
【補正対象書類名】実用新案登録請求の範囲
【補正対象項目名】全文
【補正方法】変更
【補正の内容】
【実用新案登録請求の範囲】
【請求項１】
中央部がコ字状になされている同一長さの２本の長尺棒状体を間隔をとって平行に並べ、この両端を湾曲状または角状として結合して細長いループ状となして上部１とし、上記棒状体とほぼ同一長さの棒状体を上部１の下に配し、両端を上向きに垂直に曲げて上部１に接続するか接続具を用いて上部１に接続して下部２とし、上記上部１のコ字状部によって側面取り出し口が形成されていて、下部２にポリ袋を曲げて収納した時取り出し易くなされていることを特徴とする取り出し口付きポリ袋ストック用クリップ。